(57)【要約】      （修正有）【課題】無線ネットワークとの間でスモールデータの無線通信を行うための、無線通信端末、関連するシステム及び方法を提供する。【解決手段】端末ＵＥ５０２は、ＵＥ及び基地局ｅＮＢ５０４及びモビリティ管理エンティティＭＭＥ５０６との間の無線接続を形成するための無線接続確立手順の一部として、ＲＲＣ接続要求メッセージ５１０を送信する。ＲＲＣ接続要求メッセージ５１０には、ｅＮＢに閾値以下のデータ量「スモールデータ」を送信するよう要求するＲＲＣ確立要因値を含み、これにより、要求されたＲＲＣ接続はスモールデータ送信のためのものであると認識される。ｅＮＢは、ＵＥの要求に応えるＲＲＣ接続設定メッセージ５１２を送信し、ＵＥは、スモールデータ情報を含むＲＲＣ接続設定完了メッセージ５１４を送信する。ｅＮＢは、受信した確立要因値を含むＳ１アプリケーションプロトコル初期ＵＥメッセージ５１６をＭＭＥに送信する。【選択図】図５
2020109999.tif 000002
【特許請求の範囲】
【請求項１】
ネットワークと無線通信するように構成されたユーザ装置（ＵＥ：user equipment）であって、
第１のタイプのスモールデータ、及び第２のタイプのスモールデータを送信可能に構成され、
前記ＵＥが前記第１のタイプのスモールデータを送信する場合、前記ＵＥと前記ネットワークとの間の無線接続を形成するための無線接続確立手順の一部として、前記第１のタイプのスモールデータを示す第１のインディケータが接続確立要因として含まれるＲＲＣ接続要求メッセージを送信し、ＲＲＣ接続設定メッセージの受信後、前記第１のタイプのスモールデータを含むＲＲＣ接続設定完了メッセージを送信し、
前記ＵＥが前記第２のタイプのスモールデータを送信する場合、前記無線接続を形成するための無線接続確立手順の一部として、前記第２のタイプのスモールデータを示す第２のインディケータが接続確立要因として含まれるＲＲＣ接続要求メッセージを送信し、ＲＲＣ接続設定メッセージの受信後、第２のタイプのスモールデータを含むＲＲＣ接続設定完了メッセージを送信するように構成される、
ユーザ装置。
【請求項２】
前記第１のタイプのスモールデータと前記第２のタイプのスモールデータとは優先度が異なる請求項１に記載のユーザ装置。
【請求項３】
前記第１のタイプのスモールデータは第１のキープアライブメッセージを含み、前記第２のタイプのスモールデータはマシンタイプコミュニケーションモードで動作するＵＥが送信するデータを含む請求項１に記載のユーザ装置。
【請求項４】
前記第２のタイプのスモールデータは、前記第１のキープアライブメッセージより優先度が低い第２のキープアライブメッセージを含む請求項３に記載のユーザ装置。
【請求項５】
ネットワークと無線通信するように構成されたユーザ装置（ＵＥ：user equipment）を動作させる方法であって、
前記ＵＥは第１のタイプのスモールデータ、及び第２のタイプのスモールデータを送信可能に構成されており、
前記第１のタイプのスモールデータを送信する場合、前記ＵＥと前記ネットワークとの間の無線接続を形成するための無線接続確立手順の一部として、前記第１のタイプのスモールデータを示す第１のインディケータを接続確立要因として含むＲＲＣ接続要求メッセージを送信し、
ＲＲＣ接続設定メッセージの受信後、前記第１のタイプのスモールデータを含むＲＲＣ接続設定完了メッセージを送信する、
ユーザ装置を動作させる方法。
【請求項６】
前記第１のタイプのスモールデータと前記第２のタイプのスモールデータとは優先度が異なる請求項５に記載のユーザ装置を動作させる方法。
【請求項７】
前記第１のタイプのスモールデータは第１のキープアライブメッセージを含み、前記第２のタイプのスモールデータはマシンタイプコミュニケーションモードで動作するＵＥが送信するデータを含む請求項５に記載のユーザ装置を動作させる方法。
【請求項８】
前記第２のタイプのスモールデータは、前記第１のキープアライブメッセージより優先度が低い第２のキープアライブメッセージを含む請求項７に記載のユーザ装置を動作させる方法。
【請求項９】
第１のタイプのスモールデータ及び第２のタイプのスモールデータの少なくとも一方を送信可能に構成された１以上のユーザ装置（ＵＥ：user equipment）と無線通信するように構成されたネットワーク機器であって、
前記第１のタイプのスモールデータを送信するＵＥから、前記ＵＥとの間で無線接続を形成するための無線接続確立手順の一部として、第１のタイプのスモールデータを示す第１のインディケータがＲＲＣ確立要因として含まれるＲＲＣ接続要求メッセージを受信し、ＲＲＣ接続設定メッセージを前記ＵＥに送信し、前記第１のタイプのスモールデータを含むＲＲＣ接続完了メッセージを前記ＵＥから受信し、
前記第２のタイプのスモールデータを送信するＵＥから、前記無線接続確立手順の一部として、第２のタイプのスモールデータを示す第２のインディケータがＲＲＣ確立要因として含まれるＲＲＣ接続要求メッセージを受信し、ＲＲＣ接続設定メッセージを前記ＵＥに送信し、前記第２のタイプのスモールデータを含むＲＲＣ接続完了メッセージを前記ＵＥから受信するように構成される、
ネットワーク機器。
【請求項１０】
前記第１のタイプのスモールデータと前記第２のタイプのスモールデータとは優先度が異なる請求項９に記載のネットワーク機器。
【請求項１１】
前記第１のタイプのスモールデータは第１のキープアライブメッセージを含み、前記第２のタイプのスモールデータはマシンタイプコミュニケーションモードで動作するＵＥが送信するデータを含む請求項９に記載のネットワーク機器。
【請求項１２】
前記第２のタイプのスモールデータは、前記第１のキープアライブメッセージより優先度が低い第２のキープアライブメッセージを含む請求項１１に記載のネットワーク機器。
【請求項１３】
請求項１に記載のユーザ装置と、
前記ユーザ装置と無線通信するように構成され、ＲＲＣ接続要求メッセージを受信し、ＲＲＣ接続設定メッセージを送信し、前記第１のタイプのスモールデータ又は前記第２のタイプのスモールデータを含むＲＲＣ接続完了メッセージを受信するように構成されたネットワーク機器とを有する無線通信システム。
【発明の詳細な説明】
【技術分野】
【０００１】
本発明は、無線ネットワーク環境内のスモールデータ送信に関する。
【背景技術】
【０００２】
これは、無線リソース制御（ＲＲＣ）接続確立手順を実行するために、互いの相互運用の一環として、無線端末と無線ネットワークのために確立されている。これは、端末とネットワークとの間で任意のアプリケーションデータが送信される前に、および任意のシグナリング手順が完了する前に、ＲＲＣアイドルモードからＲＲＣ接続モードに送信を行うために必要とされる。
【０００３】
ＲＲＣ接続確立手順は、端末によって開始される。それは、一般的に、ヨーロッパの第３世代パートナーシッププロジェクト（３ＧＰＰ）規格に準拠し、ロング・ターム・エボリューション（ＬＴＥ）を含む第３および第４世代のセルラ無線通信システムのコンテキスト内でユーザ装置（ＵＥ）と呼ばれる。
【０００４】
ＬＴＥの場合には、ＲＲＣ接続確立手順の一部として（ＲＲＣ接続設定完了メッセージで）、非アクセス層（ＮＡＳ）シグナリングメッセージが送信される。一方、ユニバーサル・モバイル・テレコミュニケーション・システム（ＵＭＴＳ）、地上無線アクセスネットワーク（ＵＴＲＡＮ）の場合には、初期ＮＡＳメッセージは、ＲＲＣ接続確立手順の後に送信される。
【０００５】
３ＧＰＰ仕様書ＴＳ３６．３３１は、ｓ．６．２．２において、「確立要因」は、ＲＲＣ接続要求メッセージ、即ちＲＲＣ接続確立手順の最初のステップを形成するメッセージに含まれることを明記している。
【０００６】
図１は、前述の３ＧＰＰ仕様書ＴＳ３６．３３１のｓ．５．３．３に明記されている、ＲＲＣ接続確立手順のシグナリング手順を示す信号フロー図である。ここで、信号を送信することができる間に、送信元と送信先エンティティとして表された、無線端末（ＵＥ）１０２と、ネットワーク１０４とが示されている。送信元および各信号の送信先は、各無線端末（ＵＥ）１０２とネットワーク１０４に接続され、そして関連付けられているそれぞれの縦線で示されている。水平の矢印１１０、１１２、１１４として示される信号は、無線端末１０２とネットワーク１０４との間で送信される。第１のステップでは、無線端末（ＵＥ）１０２は、ネットワーク１０４にＲＲＣ接続要求メッセージ１１０を送信する。第２のステップでは、ネットワーク１０４は、無線端末（ＵＥ）１０２へＲＲＣ接続設定メッセージ１１２を送信する。第３のステップでは、信号１１２の受信に続いて、無線端末（ＵＥ）１０２は、ネットワーク１０４にＲＲＣ接続設定完了メッセージ１１４を送信する。
【０００７】
図２は、ＲＲＣ確立要因と成り得るリストを含む表であり、ＲＲＣ要因（予備１、予備２）の２つの予備値があることを特に指摘している。
【０００８】
図2は、RRC確立要因と成り得るリストを含む表であり、RRC要因（予備1、予備2）の2つの予備値があることを特に指摘している。図3は、TS24.301、附属書D.1で指定されている、RRC要因と（ネットワークアクセス層）NAS手順の関係を単純化した形で示すテーブルである。RRC確立要因は、接続が確立されているNAS手順によって決定される。例えば、「添付」のNASの手順については、3個の可能なRRC確立要因がある。モバイル発信シグナリング、ディレイトレラントアクセス、そして緊急である。
【０００９】
無線端末上で実行される多くのマシン型通信（ＭＴＣ）アプリケーションは、他のタイプのアプリケーション、例えば、音声通信により、送信および／または受信されるデータの量よりもはるかに小さいデータの量を送信または受信する。また、ネットワークでいわゆる「キープアライブ」メッセージとよばれる多くのアプリケーションが交換される、「スマートフォン」使用の著しい増加がある。このようなメッセージは、ネットワークに接続された遠隔の端末へ、機器やサーバで実行し、定期的にアプリケーションに通知している。これは、端末がまだネットワークに接続されており、そして、遠隔装置やサーバとの断続的な接続を維持しようとするからである。これらのすべては、３ＧＰＰシステムにおいて資源の非効率的な利用につながり得る。
【００１０】
３ＧＰＰ  ＳＡ１ワーキンググループはすでに、ＭＴＣの特徴の一つとして「スモールデータ送信」として識別される、少量のデータの上記送信／受信を特定した。３ＧＰＰ仕様書ＴＳ２２．３６８、ｓ７．２．５は、上記で示唆したように、少量のデータを送信または受信するＭＴＣデバイスで使用するため意図されたＭＴＣ機能「スモールデータ送信」を定義する。データ交換の多くの例で観察されるサイズが１Ｋオクテット程度である（１０２４オクテット）、しかし、これは本発明の文脈内のスモールデータへの参照を定義し、または限定するものと決して考えるべきでない。３ＧＰＰは現在、マシンタイプの通信（ＭＴＣ）を標準化している、そして、ＭＴＣの具体的な特徴は、例えば１個のＩＰパケットの命令の中で、多くの非常に小さいデータ交換（１または双方向）のような事例が存在し得るということである。この理由のために３ＧＰＰ（ＳＡ１）は、ＴＳ２２．３６８で「スモールデータ送信」と呼ばれる特定のＭＴＣ機能を定義した。スモールデータへの参照は、これにより、このようなデータが通常のデータと異なって処理されてもよいという内容に従って進める。したがって、ＴＳ２２．３６８の上記で述べた例の１Ｋオクテットは単なる一例である、そして、ネットワークオペレータによってスモールデータの理解または定義が設定可能であること（例えば、サブスクリプション毎に）が理解されるべきである。
【００１１】
３ＧＰＰ  ＳＡ２作業部会は現在、ＭＴＣＥ−ＳＤＤＴＥ（スモールデータおよびデバイストリガ機能強化）作業項目の一部として、小さなデータの送信の最適化（スマートフォンからのキープアライブメッセージを含む）を調査している（ＴＲ２３．８８７、Ｓ５．１参照）。調査の重要な問題は、「効率的なスモールデータ送信」である。スモールデータ送信のための以下の機能要件はＴＲ２３．８８７、ｓ．５．１．１．２で合意された。「システムは、ネットワークへの影響を最小限にしつつ、スモールデータ送信を効率的にサポートしなければならない（例えば、オーバーヘッド、ネットワークリソース、再割り当てのためのシグナリング遅延）。」
【００１２】
ＳＡ２は、既に３ＧＰＰ技術レポートＴＲ２３．８８７における効率的なスモールデータ送信のためのいくつかの可能な解決策を合意している。可能な解決策（ＲＲＣアイドルから始まる小さなデータ転送、ｓ５．１．１．３．１）の一つは、事前に確立されたＮＡＳセキュリティを使用し、かつ、ＲＲＣセキュリティを確立することなく、ＲＲＣ接続完了メッセージ（上記）内のＮＡＳシグナリングとしてのスモールデータの転送を含む。
【００１３】
このため、レポートのセクション５．１．１．３．１に、以下の機能が使用されることが示唆されている。
「スモールデータ送信のためにＵＥのアプリケーションはＮＡＳを要求し「トラッキング・エリア更新のために」ＲＲＣ接続を確立するため、ＵＥのＡＳを要求する。そして、ＲＲＣ接続は、ＲＲＣ確立要因＝‘ＭＯシグナリング’よりも要因＝‘ＭＯデータ’によって確立される。」
【００１４】
「MO-シグナル」（モバイル発信シグナリング）RRC要因の使用は、発展型ノードB（eNB）に、存続期間の短いシグナリング手順が進行中であることを検出することを許す。ＭＯ−シグナリング要因は、シグナリングのみでこれによりデータが無く送信されるべきであるということを示すために採用されている。「ＭＯ−データ」要因の使用は、ネットワークに、データは送信されるべきであり、データが同様に送信のために存在する場合、ネットワークは、測定報告のためにＵＥを設定するのに役立つということを示すために機能する。スモールデータは、典型的にＭＯ−データ」の確立要因を使用し、ネットワークは、その後、測定のためにＵＥを設定する。従って、モビリティ管理エンティティ（ＭＭＥ）はｅＮＢにセキュリティコンテキストをダウンロードする可能性は低い。セキュリティコンテキストがなければ、ハンドオーバを行うことができない。したがって、ｅＮＢは、ＵＥに測定報告を実行することを設定せず、これにより、無線リソースが確保される。上記の特徴または適合は、スモールデータ送信がスモールデータ送信要求を検出したときのｅＮＢの動作を変更することによって行われることを可能にする。
【００１５】
しかし、ＴＲ２３．８８７に記載されているように別の問題が存在する：
「編集者注：「ＭＯ−シグナリング」と低アクセス優先度の相互作用は、ＦＦＳである（すなわち、両方がＲＲＣ接続要求に確立要因としてどのように設定されるか）。」
【００１６】
即ち、ネットワークが測定のためにＵＥを設定しないよう、そして、これによりネットワークリソースを節約するよう、スモールデータ送信のために、ここではむしろ「ＭＯ−データ」より「ＭＯ−シグナリング」確立要因を使用することが提案されている。
【発明の概要】
【発明が解決しようとする課題】
【００１７】
上記で提案されたスモールデータ送信のための「ＭＯ−シグナリング」設立要因の使用のために、ｅＮＢは、ＲＲＣ要因が「ＭＯ−シグナル」であるため、要求されたＲＲＣ接続がスモールデータ転送のためのものであることが分からない。また、スモールデータ送信は、ＴＲ２３．８８７からの上記の解決策で示唆されたように、ＭＯ−ＲＲＣシグナリングの要因が使用されるので、「ディレイトレラントアクセス」ＲＲＣ要因の代わりに、低い優先順位として扱うことができない（この２つは同時に使用することができない）。これは、ＭＴＣ端末から発信するスモールデータ送信（ほとんどの「キープアライブ」のデータを含む）が実際のところ一般的に低優先度であるという重要な問題である。
【００１８】
そして、もし他のスモールデータ固有の機能性がｅＮＢによってトリガされなければならない場合、問題となるだろう。
【００１９】
このような既知の取り決めは、スモールデータ送信の効率を向上させることにおいて、その有効性が制限されている。
【００２０】
本発明は、既知の方法、システムおよびデバイスより有利である無線通信方法、システム、およびスモールデータ送信のための端末装置と、を提供することを目的とする。
【課題を解決するための手段】
【００２１】
本発明の一態様によれば、無線ネットワークと通信するように構成された無線通信端末が提供される、
端末は、端末とネットワーク間の無線接続を形成するための無線接続確立手順の一部として、送信するように構成されている、
閾値以下のデータ量の送信は、ネットワークへの無線接続を介して端末から要求されたネットワークに示すために、無線接続確立シグナリングは、スモールデータインジケータを含む。
【００２２】
このような特定のスモールデータインジケータの使用は、現在の技術および上記のもので経験された制限を有利に克服する。
【００２３】
具体的には、スモールデータインジケータは、接続要求信号で提供することができ、接続要求信号内でコネクション確立要因を含めることができる。
【００２４】
本発明の適応性を高めるためのさらなる特徴として、確立要因は、送信される少量のデータの優先度に関連させることができる。
【００２５】
必要に応じて、スモールデータインジケータは、情報要素との一部として提供することができ、その場合、情報要素は情報要素の拡張された接続確立要因、あるいは付加情報である情報要素の１つを含むことがでる。
【００２６】
さらにまた、スモールデータインジケータは、無線端末から送信される接続設定完了メッセージに含めて提供され得る。
【００２７】
このように、スモールデータインジケータは、スモールデータ表示の情報要素の一部として提供することができ、無線接続確立シグナリングは、遅延耐性アクセスやＭＯシグナリングの一つの接続確立要因を有する接続要求信号を含めることができる。
【００２８】
本発明は、上記で定義されたように無線通信端末を含む無線通信システムを提供することができ、ネットワークデバイスは、無線接続の確立シグナリングを受信するために構成されている。
【００２９】
さらに、本発明は、ネットワークと無線通信するように構成された無線通信端末を動作させる方法を提供することができ、端末とネットワーク間の無線接続を形成するための無線接続確立手順の一部として送信するステップを含み、無線接続確立シグナリングは、ネットワークにネットワークへのワイヤレス接続によって端末から要求されている閾値以下のデータ量の送信を指示するスモールデータインジケータを含む。
【００３０】
このような方法は、上述したような端末のさらなる機能の特徴を提供するように適合させることができると理解されるであろう。
【００３１】
本発明は、さらに通信ネットワーク内の無線通信端末とネットワーク装置との間でスモールデータの無線通信方法を提供することができ、端末とネットワークとの間の無線接続を形成するための無線接続確立手順の一部として、無線通信端末から送信するステップを含み、無線接続確立は、スモールデータインジケータを含む、ネットワークへの無線接続によって端末から要求される閾値以下のネットワークへのデータ量の送信を指示する。
【発明の効果】
【００３２】
本発明によると、少なくともスモールデータ送信のための無線通信方法、システム及び端末装置を提供することができ、公知の方法、システムおよび装置を上回る利点を有する。
【図面の簡単な説明】
【００３３】
本発明は、添付の図面を参照して一例としてさらに以下に記載されている。
【図１】図１は、前述の３ＧＰＰ仕様書ＴＳ３６．３３１、ｓ．５．３．３で指定されたＲＲＣ接続確立手順のシグナリング手順を示す信号フロー図である。
【図２】図２は、ＲＲＣ確立要因が取りうるリストを含む表である。
【図３】図３は、ＴＳ２４．３０１附属書Ｄ．１に指定されている、簡略化した形でＲＲＣ要因とＮＡＳ（ネットワークアクセス層）の手順の関係を示す表である。
【図４】図４は、本発明の実施形態のスモールデータ要因の構成を示す表である。
【図５】図５は、無線ネットワーク内で本発明の実施形態にかかるシグナリング図である。
【図６】図６は、本発明の実施形態に係る合成された優先要因の構成を示す表である。
【図７】図７は、無線ネットワーク内で図６の実施形態にかかるシグナリング図です。
【図８】図８は、本発明の実施形態に係るスモールデータ要因を有する情報要素（ＩＥ）の概略構成を示す図である。
【図９】図９は、無線ネットワーク内での図８の実施の形態に係るシグナリング図である。
【図１０】図１０は、無線ネットワーク内で、本発明のさらなる実施形態かかるシグナリング図である。
【発明を実施するための形態】
【００３４】
まず、図４を参照すると、本発明の実施形態に係る、新規なスモールデータＲＲＣ確立要因を示す表が示されている。図４に示すテーブルに太字で示されているように、スモールデータ送信のための新しいＲＲＣ確立要因は、単純な識別子「スモールデータ」によって本明細書に言及される。しかし、少量のデータを示すために任意の適切な標識を用いることができ、本発明は、この新たな要因のいずれかの特定の標識又は名称に限定されるものではないことは当然に理解されるであろう。
【００３５】
図５は、第１の実施形態に係る新たなＲＲＣ接続確立手順のシグナリングステップを示すシグナリングフロー図である。
無線端末（ＵＥ）５０２と、ネットワークの基地局（ｅＮＢ）５０４とは、その間で信号が送信され得る送信元と宛先の実体５０２、５０４として表され、送信元と各信号の送信先とは、接続されたそれぞれの縦線で示され、各無線端末（ＵＥ）５０２および基地局５０４の実体に関連している。水平の矢印５１０、５１２、５１４として示される信号は、無線端末５０２と基地局５０４との間で送信される。最初に、スモールデータ送信のためのプリアンブルによると、無線端末５０２は、基地局５０４を介して、アイドルモード５０８でネットワークに接続されている。スモールデータ送信前には、ＵＥは、既にネットワークに接続していることが期待されている。ＵＥとＭＭＥとは、スモールデータ送信およびＮＡＳセキュリティ／符号化情報のための対応／能力を既に交換している。
【００３６】
最初のステップにおいて、無線端末（ＵＥ）５０２は、ネットワーク５０４のために意図されたＲＲＣ接続要求メッセージ５１０を送信する。
【００３７】
メッセージ５１０の手段によって、スモールデータ送信のためのＵＥのアプリケーションは、スモールデータのためのＲＲＣ接続を確立するため、ＵＥのアクセス層（ＡＳ）を要求するために（ＮＡＳ）の非アクセス層に要求する。これは、ＮＡＳからＡＳへの直接要求、またはトラッキングエリア更新（ＴＡＵ）メッセージ内のもの、またはサービス要求メッセージ、または任意の他のＮＡＳメッセージとなり得る。スモールデータ送信のために、この要求に基づいて、ＵＥのＡＳは、「スモールデータ」に等しいＲＲＣ確立要因を含むＲＲＣ接続確立要求をトリガーする。「スモールデータ」の新しいＲＲＣ確立要因の使用は、基地局（ひいては、ネットワーク）に、要求されたＲＲＣ接続はスモールデータ送信のためのものであると認識させる。
【００３８】
これは、基地局（ｅＮＢ）が測定の設定手順を防ぐことを可能とし、無線リソースを節約する。
また、基地局にスモールデータ送信を低優先度として処理することを許可する。（現在の技術で「ＭＯ−シグナル」を用いることは不可能であるのに対し、「スモールデータ」は、同様の意味「低優先度」を組み込むことができる）。また、基地局は、他のスモールデータ送信特定の要求を実行することを可能にする。
【００３９】
第二のステップにおいて、基地局５０４は、無線端末（ＵＥ）５０２のために意図されたＲＲＣ接続設定メッセージ５１２を送信する。これは、ｅＮＢによって通常のＲＲＣ接続設定である。
【００４０】
第三のステップでは、無線端末（ＵＥ）５０２は、ネットワークの基地局５０４のために意図されたＲＲＣ接続設定完了メッセージ５１４を送信する。ＵＥは、ＲＲＣ接続設定完了メッセージ５１４内で、ＮＡＳプロトコルデータ単位（ＰＤＵ）ＩＥとしてのスモールデータ情報を含む。ＮＡＳ  ＰＤＵはスモールデータと符号化され進化したパケットシステム（ＥＰＳ）ベアラＩＤを含む。ＭＭＥがスモールデータとＥＰＳベアラＩＤを復号化するためにそれを使用しているように、符号化されていない形式で、キーセット識別子（ＫＳＩ）もまた含まれている。
【００４１】
基地局５０４は、Ｓ１アプリケーションプロトコル（Ｓ１ＡＰ）初期ＵＥメッセージ５１６内で、ＭＭＥに符号化されたスモールデータを転送する。このメッセージ５１６は、基地局５０４によって開始され、最初のメッセージは、ＭＭＥ５０６によって受信され、ＲＲＣ接続確立された後に、ＵＥ５０２から発信している。メッセージ５１６は、ＫＳＩと、メッセージ５１４からの「ＥＰＳベアラＩＤ」パラメータとの両方を含む。ＭＭＥは、インターネットプロトコル（ＩＰ）パケット／スモールデータ、及びＥＰＳベアラＩＤを復号する。ＥＰＳベアラＩＤを使用して、ＭＭＥはＩＰアドレスを取得し、そのベアラのトンネルエンドポイント識別子（ＴＥＩＤ）は、ユーザプレーン（ＧＴＰ−Ｕ）パケットのためのＧＰＲＳトンネリングプロトコルを構成し、サービングゲートウェイ（Ｓ−ＧＷ）へのＧＴＰ−Ｕパケットを送信する。Ｓ−ＧＷは、パケット・データ・ネットワーク（ＰＤＮ）ゲートウェイ（Ｐ−ＧＷ）へのＧＴＰ−Ｕパケットを送信し、Ｐ−ＧＷは、ＳＧｉインターフェイス上でＧＴＰ−Ｕ  ＩＰパケットを転送する。
【００４２】
新しいＲＲＣ確立要因値「スモールデータ」は、ＲＲＣ接続がスモールデータ送信のために必要であることを基地局（ｅＮＢ）への明瞭で明確な指示のために与える。これは、このタイプの通信のために、ｅノードＢ（ｅＮＢ）がすべての権利（一般的または特定の既存または将来の）機能を展開することを可能にする。
【００４３】
この新しい要因値はまた、スモールデータ送信が優先度の低いデータ（ディレイトレラントアクセス）として扱われることを可能にする、「ＭＯ−シグナリング」ＲＲＣ要因が使用される場合、これは不可能である。３ＧＰＰは、通常、低い優先通信としてＭＴＣ通信を分類するので、これは重要である。この原則は、おそらく、スマートフォンからの「キープアライブ」のデータのほとんどに適用する、それは、このような「キープアライブ」データは一般的に少量で送信されるからである。
【００４４】
新しいＲＲＣ確立要因値「スモールデータ」は、測定設定手順を防止し、無線リソースを節約する。それは、簡単にスモールデータ送信に関連する将来の柔軟性のために、ｅＮｏｄｅＢのような基地局にアップグレードすることを可能にする。
【００４５】
上記のスモールデータ送信の新しい原理は、新しいＲＲＣ確立要因値「スモールデータ」を含み、ＴＡＵおよびサービスリクエストのような他のＮＡＳ手順で使用されることもできる。
【００４６】
図６は、別の第二の実施の形態に係る、ＬＴＥにおけるスモールデータ送信のための新しい高／低優先度のスモールデータＲＲＣ確立要因を示す表である。スモールデータ送信のための新しいＲＲＣ確立要因は、「高優先度スモールデータ」または「低優先度スモールデータ」のいずれかで呼ばれ、図６に示すテーブルに太字で示されており、スモールデータが高優先順位または低優先順位に割り当てられているか否かに応じて、それぞれ、（高または低）優先度の値は、ここではたとえば無線端末によって割り当てられている。しかし、この優先度は、アプリケーションによって割り当てられることができることに留意すべきである、それは、スモールデータを送信することで高／低優先度の設定は、アプリケーションごとにすることができるということである。
【００４７】
図７は、図６に関連してすぐ前述した第２の実施の形態に係る、新しいＲＲＣ接続確立手順のシグナリング手順を示したシグナリングフロー図である。イベントのシーケンスは、図５に示したものと同様である。その中で、ＵＥ７０２を含むネットワーク環境内で、基地局７０４とＭＭＥ７０６、と、アイドルモードで７０８が付加されたＵＥ７０２と、ＲＲＣ接続要求７１０、ＵＥ７０２とｅＮＢ７０４との間で示されるように、ＲＲＣ接続設定７１２とＲＲＣ接続設定完了７１４の信号が交換される。しかしながらその違いは、低優先度であるスモールデータ（ＭＴＣとスマートフォンのアプリケーションからいくつかの「キープアライブ」メッセージ）のため、ＲＲＣ接続は、ＲＲＣ接続要求７１０のような要因を含むことによって、「低優先度のスモールデータ」ＲＲＣ確立要因で確立されている。一方、低優先順位ではないスモールデータ（これはスマートフォンのアプリケーションからいくつかの「キープアライブ」メッセージになり、低優先度ではないスモールデータ送信の任意の他のタイプの）のために、ＲＲＣ接続は、ＲＲＣ接続要求要因７１０内のような含むことによって、「高優先度スモールデータ」ＲＲＣ確立理由で確立されている。
【００４８】
本実施形態によれば、さらに、優先度の低いスモールデータ送信（ＭＴＣアプリケーションから主に来る）と優先度の低いものより高い（すなわち高いまたは通常の優先順位）「スモールデータ」の送信（例えば、スマートフォンからのいくつかのキープアライブメッセージと潜在的ないくつかのＭＴＣアプリケーションを含む）とを区別することが可能である。
【００４９】
無線端末７０２は、ＮＡＳシグナリング低優先度（ＴＳ２４．３６８  ｓ．５．３を参照）として設定することができ、その場合には、スモールデータは、低い優先度のみであろう。しかし、無線端末７０２（ＵＥ）は、また、ＮＡＳシグナリングの優先度を上書きするように設定することができ、ＵＥ内の一部のアプリケーションは、優先度の高いスモールデータを送信する必要があり得、その場合には、優先度の高いスモールデータＲＲＣ接続確立要因は、データが優先度の高い、およびスモールデータの両方であることを理解するために、基地局（ｅＮＢ）７０４のために必要とされるであろう。
【００５０】
また、「スモールデータ」を用いた上述の原理は拡張され得て、本明細書に記載の実施形態に関連して説明した機能やＭＴＣ以外の用途、および一般的なアプローチを拡張することができることに留意されたい。
【００５１】
新規なＲＲＣ確立要因値「高優先度スモールデータ」と「低優先度スモールデータ」は図４と図５（「スモールデータ」の要因）に関連して説明した実施形態と同様の利点がある。そしてさらに、スモールデータは（優先度の高いと考えられているスマートフォンやスモールデータの任意の他のタイプのいくつかの「キープアライブ」メッセージのような）優先度の高いスモールデータまたは（ＭＴＣのような）優先順位の低いスモールデータであるかどうか明らかであるという利点を持っている。
【００５２】
図８は、さらに、第３の実施形態に係る、スモールデータ送信のための新しいスモールデータＲＲＣ確立要因を示す表である。
【００５３】
本実施形態によれば、図８の表に太字で示されているように、新しい「拡張ＲＲＣ確立要因」ＩＥや現在唯一の値「スモールデータ」との新しい「追加情報」ＩＥは、新しいＲＲＣ接続確立手順の一部として提供されている。
【００５４】
図９は、第３の実施形態に係るこの新しいＲＲＣ接続確立手順のシグナリングステップを示すシグナリングフロー図である。
【００５５】
図９に示されるように、シグナル伝達事象のシーケンスは、先にその中で示したものと同様である。ＵＥ９０２とｅＮＢ９０４との間で示されるように、ＵＥ９０２、基地局９０４とＭＭＥ９０６、を含むネットワーク環境内でアイドルモードで９０８に付加されたＵＥ９０２、ＲＲＣ接続要求９１０、ＲＲＣ接続設定９１２と完全なＲＲＣ接続設定９１４信号が交換される。しかし、この特定の実施形態において、ＲＲＣ接続要求９１０内の拡張ＲＲＣ確立要因は、スモールデータ送信を示すためにＲＲＣ接続要求メッセージ（およびその他のＲＲＣメッセージ）によって使用することができる新たなＩＥである。図９に示されるように、これは、ＲＲＣ接続確立メッセージ内の既存のＲＲＣ確立要因への追加として使用することができる。例えば、ＲＲＣ確立要因＝モバイル元々のデータまたはモバイル発信シグナリングおよびＲＲＣ拡張確立要因＝スモールデータ。このように、スモールデータ送信は明らかにｅＮＢに示されている。そして同時に、新しい拡張ＲＲＣ設立要因ＩＥは、ＮＡＳまたはＲＲＣ接続確立手順から切り離され、それは、他の手順を使用することもできる。
【００５６】
図１０は、さらに第４の実施の形態による、より新しいＲＲＣ接続確立手順のシグナリングステップを示すシグナリングフロー図である。
【００５７】
図１０に示した第４の実施形態によれば、シーケンスは以下のとおりである。ＵＥ１００２、基地局１００４およびＭＭＥ１００６、および１０１４アイドルモード１００８に添付のＵＥ１００２、ＲＲＣ接続要求１０１０、ＲＲＣ接続設定１０１２と、ＲＲＣ接続設定完了を含むネットワーク環境内でＵＥとｅＮＢ１００２と１００４の間で示すように信号が交換される。基地局1004は、MME1006のために意図されたS1AP初期UEメッセージ1016を送信する。本実施形態ではしかしながら、ＵＥ１００２は、「ディレイトレラントアクセス」に等しいまたは「ＭＯ−シグナル」に等しいＲＲＣ確立要因を使用し、ＲＲＣ接続要求を要求するメッセージ１０１０を通過する。
【００５８】
ＲＲＣ接続設定完了メッセージ１０１４で、ＵＥは、ＮＡＳコンテナにスモールデータを囲む。また、ＵＥは、ＲＲＣ接続設定完了メッセージ１０１４で新しい「スモールデータ指示」ＩＥを含む。
【００５９】
実施形態の上記の記述は、新しいＲＲＣ確立要因値の記述が含まれている。第１の実施形態に係る新たな「スモールデータ」ＲＲＣ確立要因、そして、第２の実施形態に係る二つの新しい「高優先度スモールデータ」と「低優先度スモールデータ」ＲＣ確立要因値。提案された新しいＲＲＣ確立要因値は、基地局がスモールデータ送信を区別すること、優先度の高い／低いスモールデータを区別することを可能にし、基地局とネットワークの他のノード（例えば、ＭＭＥとＳ−ＧＷ）は、適切にスモールデータ転送を扱うことになる。
【００６０】
また、上述した第３の実施形態によると、新しい拡張「ＲＲＣ確立要因」ＩＥや「追加情報」ＩＥが定義されている。拡張ＲＲＣ確立要因ＩＥは、「スモールデータ」要因値がスモールデータ転送に使用される必要がある。これは、将来の使用のための８個以上の利用可能な要因値を持っている。
【００６１】
さらに、上述した第４の実施形態による、ＲＲＣ接続設定完了メッセージで新しいスモールデータ表示が定義されている。この新しい「スモールデータ表示」は基地局が認識されることができるようにするための導入であり、その手順は、基地局が適切な小さなデータ関連の手続きを行うことができるように（例えばｅＮＢは、ＵＥ測定をトリガしない）スモールデータのためのものである。
【００６２】
上記の全ての実施形態は、ＧＳＭ（登録商標）／ＥＤＧＥ無線アクセスネットワーク（ＧＥＲＡＮ）と、ＵＴＲＡＮ無線アクセス技術にも適用可能である。ＬＴＥのための上記のソリューションの唯一の相違点は次のとおりである。
（ａ）ＬＴＥにおけるｅＮＢのノードがＧＥＲＡＮ及びＵＴＲＡＮにおける無線ネットワーク制御装置（ＲＮＣ）に基地局に相当する。
（ｂ）ＬＴＥにおけるＭＭＥノードは、ＧＥＲＡＮとＵＴＲＡＮにＧＰＲＳサポートノード（ＳＧＳＮ）をサービングと等価である。
（ｃ）ＬＴＥでスモールデータは、（ＲＲＣ接続設定完了メッセージに）ＲＲＣ接続確立手順の中でｅＮＢに、ＵＥから転送されたのに対し、ＧＥＲＡＮとＵＴＲＡＮにスモールデータはすぐにＲＲＣ接続確立手順の終了後、ＧＥＲＡＮまたはＵＴＲＡＮ内のＲＮＣにベースステーションにＵＥから転送される。
（ｄ）ＧＥＲＡＮ内のＲＲＣ確立要因は、ＲＲの確立要因として知られており、異なるフォーマットと要因値のセットとを持っている。しかし、提案された新しい「スモールデータ」要因値は、同様にＧＥＲＡＮにおけるＲＲ設立要因にも同等に適用可能である。
【００６３】
この出願は、２０１３年３月２８日に出願された英国特許出願第１３０５７９６．３に基づいてその優先権の利益を主張するものであり、その開示は、参照によりその全体が本明細書に組み込まれる。
【産業上の利用可能性】
【００６４】
本発明は、無線ネットワーク環境内のスモールデータ送信に適用することができる。
【符号の説明】
【００６５】
１０２，  ５０２，  ７０２，  ９０２，  １００２    ＵＥ
１０４  ネットワーク
１１０，  ５１０  ＲＲＣ接続要求メッセージ
１１２，  ５１２  ＲＲＣ接続設定メッセージ
１１４，  ５１４  ＲＲＣ接続設定完了メッセージ
５０４，  ７０４，  ９０４，  １００４  ｅＮＢ  
５０６，  ７０６，  ９０６，  １００６  ＭＭＥ
５１６，  ７１６，  ９１６，  １０１６  Ｓ１ＡＰ初期ＵＥメッセージ
７１０，  ９１０，  １０１０  ＲＲＣ接続要求信号
７１２，  ９１２，  １０１２  ＲＲＣ接続設定信号
７１４，  ９１４，  １０１４  ＲＲＣ接続設定完了信号
【図１】
2020109999.tif 000003
【図２】
2020109999.tif 000004
【図３】
2020109999.tif 000005
【図４】
2020109999.tif 000006
【図５】
2020109999.tif 000007
【図６】
2020109999.tif 000008
【図７】
2020109999.tif 000009
【図８】
2020109999.tif 000010
【図９】
2020109999.tif 000011
【図１０】
2020109999.tif 000012